(57)【特許請求の範囲】
【請求項１】
トナー画像をシートに転写するタイプの電子写真印刷機であって、
前記シートに転写するトナー画像を載せて第１の速度で移動する光導電性部材と、
トナー画像を前記シートにフューズして、前記シートを調節可能な速度で前進させるために用いられるフュージング部材であって、第２の速度で移動する前記フュージング部材と、
前記フュージング部材の第２の速度を前記光導電性部材の第１の速度より遅い値に維持するために、前記光導電性部材及び前記フュージング部材と通信するコントローラと、
を含む電子写真印刷機。
【請求項２】
前記光導電性部材を前記第１の速度で駆動する第１の駆動手段と、前記フュージング部材を前記第２の速度で駆動する第２の駆動手段と、をさらに備え、前記フュージング部材の第２の速度を前記光導電性部材の第１の速度より遅い値に維持するように前記コントローラが前記第２の駆動手段を制御するようになっている、請求項１に記載の電子写真印刷機。
【請求項３】
前記第１の駆動手段が、所定の基準信号を生成する手段と、ソフトウェア設定可能な第１のディバイダと、第１のモータと、を備え、前記ディバイダは前記所定の基準信号を受信して第１の制御信号を生成し、前記モータは前記ディバイダが生成した前記第１の制御信号に応答して作動するようになっている、請求項２に記載の電子写真印刷機。
【請求項４】
前記第２の駆動手段が、前記第１の駆動手段と前記第２の駆動手段との速度差分に応答する信号を生成する発信器と、前記発信器が生成した前記信号を受信して第２の制御信号を生成する第２のディバイダと、前記第２のディバイダが生成した前記第２の制御信号に応答して作動するようになっている第２のモータと、を備える、請求項２に記載の電子写真印刷機。
【発明の詳細な説明】
【０００１】
【産業上の利用分野】
本発明は一般的に電子写真印刷機におけるシートハンドリングシステムに関し、更に詳細には転写ステーション及びフューザ（定着、融着）ステーションにおいてシート速度を整合させるシートハンドリングシステムに関する。
【０００２】
【従来の技術及び発明が解決しようとする課題】
電子写真印刷機において、光導電性部材は実質的に均一な電位に帯電されて、その表面に感光性を与える。光導電性部材の帯電部分は複製される原稿の光像に露光される。帯電された光導電性部材の露光は、その光導電性部材上の照射された領域の電荷を選択的に放散する。これによって複製される原稿内に含まれる情報領域に対応する静電潜像が光導電性部材上に記録される。静電潜像が光導電性部材上に記録された後、潜像は光導電性部材と接触するように現像剤をもたらすことによって現像される。これによって、光導電性部材上に粉末画像が形成される。
【０００３】
電子写真印刷機において光導電性部材上に形成された粉末画像は、光導電性部材からコピーシートへ転写される。転写された粉末画像は一般的に、コピーシートに緩くしか付けられないので、コピーシートを光導電性部材から剥がす工程、及びコピーシートをフュージング（定着、融着）ステーションへ搬送する工程で容易に乱されてしまう。コピーシートは、転写後直ぐにフュージングステーションを通過することが好ましく、粉末画像をコピーシートに永続的にフューズする。フュージングは、機械攪拌又は電場によって生じる粉末画像の汚れや乱れを防止する。この理由のために、及び電子写真印刷機のペーパパス（通路）を簡便化及び短縮するために、フュージングステーションを転写ステーションにできるかぎり接近させて維持することが好ましい。特に望ましいフュージングステーションは、ロール式フューザであり、このフューザの場合コピーシートは２つのロールの間にある加圧ニップを通過する。
【０００４】
コピーシート用のこのようなフューザロールニップは、コピーシートの先頭部分がフューザロールニップ中にあると同時にコピーシートの後部又は後端部分が光導電性部材と接触するように、転写ステーションと十分に近接して配置されると、汚れ（こすりつけること）又はスキップ（飛ばすこと）がコピーシートの後部分に転写されている未定着（アンフューズ）粉末画像に生じることがある。この状況は、これらの領域での光導電性部材とコピーシートとの間の相対移動即ち滑りによって生じる。ここで例えば、これらの領域では光導電性部材とコピーシートは接触したままであり、例えばコピーシートのそれらの領域は光導電性部材からまだ剥がされていない。このような滑りの原因は、光導電性部材の表面速度に対するフューザロールのニップ速度（フューザがそのフューザを介してコピーシートの前端を引っ張っている速度）の不整合である。フューザニップロールが比較的遅いと、シートは光導電性部材に対して後方へ滑ることがある。フューザロールが比較的早いと、コピーシートは光導電性部材に対して前方に引っ張れることがある。いずれの場合においても、このことによって粉末画像の前記汚れ又はスキップがコピーシートの後部領域に転写される、又は画像を引き伸ばしてしまう原因となる。
【０００５】
コピーシートとフューザロールとの間の等速度駆動接続を維持することは、従来、困難であった。フューザニップロールのコピーシートの実際の駆動速度の変化は、ニップの駆動ロールの有効直径の変化によって生じることがあるからである。この直径の変化は、ローラの交換、又は加えられるニップ圧力の変化、材料のエージング（老化）、及び温度の影響に起因して相応するロールの弾性変形の変化によって起こる。このように、商業的な電子写真印刷機のフューザニップロールと光導電性部材との間で等速度を維持することは困難である。従って、メンテナンス（保守）の強化と速度調整メカニズムの必要性につながる。
【０００６】
トナー粉末について上述されたが、当業者には理解される様に液体の現像剤もまた使用可能である。液体の現像剤システムの場合も、速度の不整合による同様の問題が生じる。
【０００７】
これらの問題を克服するために、以前に４つの基本的な設計アプローチが行われた。第１アプローチは、転写とフュージングとの間に十分なペーパパス（通路）距離を設けることによって、未定着粉末画像の最小の乱れで殆どのペーパサイズに適応する。この解決法は、ペーパパスの長さを増すことになるので、電子写真印刷機が大きなフロア領域を占めることを必要とする。このことは、特に限られた空間を利用する顧客、又はコストの高いフロア空間を有する顧客にとって、不利益となる。
【０００８】
第２アプローチは特別な搬送装置によって複雑なペーパパスを使用することである。この解決法は、設備費を追加し、メンテナンス要求及び信頼性低下の潜在的な原因をもたらすので望ましくない。
【０００９】
第３アプローチは転写ステーションとフューザの間にバックル（撓み；湾曲）チャンバを用いるので、転写ステーションとフューザロールとの間の速度の不整合がバックル中にあるコピーシートの部分によって調節できるというものである。これらの幾つかのシステムは、予め定められた範囲内にバックルの大きさを維持するためにバックルを検出することを必要とする。センサは、電子写真印刷機の製造コストを増大させ、且つ特に光学系検出器が用いられる場合に、検出に一般的に支障をきたすことがある埃や汚れを設備内から取り除くために追加の予防メンテナンスを必要とする。
【００１０】
第４アプローチは隣接するワークステーション同士間にわたるコピーシートに伝えられる駆動速度を整合するための制御を組み込むシート搬送装置を使用する。
【００１１】
米国特許第４、０１７、０６５号は、バックル（撓み；湾曲）構造を開示する。この特許で開示された設計において、画像表面はガイド面に対して真空に引かれることによってバックル状に形成される。転写速度と異なる速度でフューザロールニップを意図的に駆動してバックルを形成する。バックルはガイド表面に加えられた真空のサイクル（循環的）減少によって制御される。
【００１２】
米国特許第４、９４１、０２１号は別のバックル構造を開示し、その特許においてバックルはフューザロールの速度を制御することによって形成されるので、コピーシートは転写領域を通過するよりも更にゆっくりとフューザロールを通過する。このシステムは、バックルを感知することを必要とし、バックルの大きさを予め定められた範囲内に維持する。
【００１３】
米国特許第５、１６６、７３５号は近接するワークステーション同士間に延びるコピーシートに駆動速度を整合する制御を含むシート搬送装置を開示する。ワークステーション同士の間に配された受け取り面がコピーシートと係合して、真空によりコピーシートが受け取り面へ付着される。コピーシートはワークステーション同士の間にわたって延びる線形パス（通路）から派生したパスへ続く。フューザロールは僅かに早い速度で駆動され、コピーシートを張って、コピーシートを搬送面から持ち上げる。この持ち上げ動作は、受け取り面と連通するバキューム（真空）プレナムを感知するセンサによって検出される。フューザロールの駆動速度はセンサからの信号に従って制御される。
【００１４】
本発明の目的は上記従来技術の欠点を克服することである。
【００１５】
【課題を解決するための手段と作用】
本発明の態様にしたがって、シートに転写するために用いられる移動する光導電性部材に記録されたトナー画像を有するタイプの電子写真印刷機が提供される。本発明の電子写真印刷機は、トナー画像をシートにフューズして、シートを調節可能な速度で進めるために用いるフュージング部材を含む。光導電性部材及びフュージング部材と通信するコントローラは、シート速度を光導電性部材の速度との選択された関係で維持する。
【００１６】
【実施例】
本発明の特徴を概略的に理解するために、図面を参照する。図中では同一要素に対して同一参照番号がふられる。図１は、中に本発明の制御システムを組み込んだ例示的な電子写真印刷機の様々な要素を概略的に示す。以下の記述より明白になるように、制御システムは広範囲な印刷機での使用に同様に非常に適しており、その用途は本明細書中で説明される特定の実施例に必ずしも限定されるわけではない。
【００１７】
電子写真印刷の技術は周知であるので、図１の印刷機で用いられる様々な処理ステーションは以下に示され、それらの動作は図面を参照して簡単に説明される。
【００１８】
図１では、静電印刷機はベルト１０を使用し、このベルトは導電性基体１４上に配された光導電性表面１２を有する。例えば、光導電性表面１２はセレニウム合金からつくられ、導電性基体１４は電気的に接地されるアルミニウム合金から作られる。また、他の好適な光導電性表面及び導電性基体も使用可能である。ベルト１０は矢印１６の方向に移動して、光導電性表面１２の連続部分を進め、その移動パスの回りに配置された様々な処理ステーションを通過する。図示されるように、ベルト１０はローラ１８、２０、２２、２４の回りに巻回される。ローラ２４はローラ２４を駆動するモータ２６と連結して、ベルト１０を矢印１６の方向へ進める。ローラ１８、２０、及び２２は、アイドラローラであり、これらはベルト１０が矢印１６の方向に移動すると自由に回転する。
【００１９】
先ず、ベルト１０の一部分は帯電ステーションＡを通過する。帯電ステーションＡにおいて、参照番号２８が概略的に示すコロナ発生装置は、ベルト１０の光導電性表面１２の一部分を比較的高く、実質的に均一な電位に帯電する。
【００２０】
次に、光導電性表面１２の帯電部分は露光ステーションＢへ進められる。露光ステーションＢにおいて、ラスタ入力スキャナ（ＲＩＳ）及びラスタ出力スキャナ（ＲＯＳ）が光レンズシステムの代わりに使用される。ＲＩＳ（図示せず）は、原稿照射ランプ、光学系、機械式走査メカニズム、及び電荷結合素子（ＣＣＤ）アレイのような感光素子（ｐｈｏｔｏｓｅｎｓｉｎｇ  ｅｌｅｍｅｎｔ）を含む。ＲＩＳは原稿から画像全体を捕獲し（読み取り）、その画像を一連のラスタ走査線に変換する。これらのラスタ走査線は、ＲＩＳからの出力であり、ＲＯＳ３６への入力として機能する。ＲＯＳ３６は、画像の出力コピーを生成する機能をはたし、連続する水平方向の線中に画像をレイアウトする。この各線はインチ当たり特定数のピクセルを有する。これらの線は、光導電性表面１２の帯電部分を照射し、電荷を選択的に放電する。例示的なＲＯＳ３６は、回転ポリゴンミラーブロック、固体変換（モジュレータ）バー、及びミラーを備えるレーザを有する。更に別のタイプの露光システムは、ＲＯＳ３６を単に使用し、ＲＯＳ３６はコンピュータとＲＯＳ３６との間で画像データフローを準備し、管理する電子サブシステム（ＥＳＳ）からの出力によって制御される。ＥＳＳ（図示せず）はＲＯＳ３６用の制御電子装置であり、独立型の専用ミニコンピュータでもよい。次に、ベルト１０は光導電性表面１２に記録された静電潜像を現像ステーションＣへ進める。
【００２１】
前述されたＲＯＳの代わりに光レンズシステムを使用可能であることは、当業者には理解されるであろう。原稿は透明なプラテン上に複写面を下にして置かれる。ランプは原稿に光線を照射（フラッシュ）する。原稿から反射された光線はレンズを通過して、その光像を結像する。レンズは光像を光導電性表面の帯電部分に集束し、その電荷を放散する。これによって、透明なプラテン上に配された原稿内に含まれた情報領域と対応する静電潜像が光導電性表面上に記録される。
【００２２】
現像ステーションＣにおいて、参照番号３８によって概略的に示される磁気ブラシ現像システムは、トナー粒子が摩擦電気的に付着するキャリヤ粒子を含む現像剤物質を、光導電性表面１２に記録された静電潜像と接触するように搬送する。トナー粒子はキャリヤ粒子から潜像に引きつけられて、ベルト１０の光導電性表面１２上に粉末画像を形成する。
【００２３】
現像後、ベルト１０はトナー粉末画像を転写ステーションＤへ進める。転写ステーションＤにおいて、シート状の支持材４６をトナー粉末画像と接触するように移動する。参照番号４８によって概略的に示されるシートフィーディング（シート送り）装置が支持材４６を転写ステーションＤへ進める。シートフィーディング装置４８は、シートスタック（束）５２の最上部のシートと接触するフィードロール５０を含む。フィードロール５０は回転して、最上部のシートをスタック５２からシートシュート５４へ進める。シュート５４は、前進するシート状の支持材４６をベルト１０の光導電性表面１２と接触するようにタイミングをとったシーケンスで送るので、光導電性表面１２上に現像されたトナー粉末画像は、前進するシート状の支持材と転写ステーションＤで接触する。
【００２４】
転写ステーションＤはコロナ発生装置５６を含み、これはシート４６の裏面にイオンを噴霧する。これによってトナー粉末画像は光導電性表面１２からシート４６へ引き寄せられる。転写後、シートはベルト１０上で矢印５８の方向にフュージング（定着、融着）ステーションＥにいたるまで移動し続ける。
【００２５】
フュージングステーションＥは、参照番号６２によって概略的に示されるフューザアセンブリを含み、フューザアセンブリは粉末画像をシート４６へ永続的に定着する。フューザアセンブリ６２は、モータ６０とバックアップローラ６６によって駆動される加熱フューザローラ６４を含むことが好ましい。シート４６は、トナー粉末画像がフューザローラ６４と接触しながらフューザローラ６４とバックアップローラ６６との間を通過する。このようにして、トナー粉末画像はシート４６に永続的に定着する。フュージング後、シュート６８は前進シートをキャチトレイ７０へガイドし、次にオペレータが印刷機から取り除く。
【００２６】
シート状の支持材がベルト１０の光導電性表面１２から分離された後、いくらかの残留粒子は光導電性表面１２に付着して必ず残る。これらの残留粒子は、クリーニングステーションＦで光導電性表面１２から除去される。クリーニングステーションＦは、事前クリーニングコロナ発生装置（図示せず）と、光導電性表面１２と接触するように回転可能に取り付けられた繊維ブラシ７２とを含む。事前クリーニングコロナ発生装置は、粒子を光導電性表面に引き寄せる電荷を中性にする。これらの粒子はブラシ７２の回転によって光導電性表面と接触してそこからクリーニングされる。例えばブレードクリーナのような他のクリーニング手段も使用可能であることは、当業者には明白になるだろう。クリーニングに次いで、放電ランプ（図示せず）は光導電性表面１２を光でみなぎらせ、次の連続する画像形成サイクルのために光導電性表面１２を帯電する前に、そこに残っているあらゆる残留電荷を放散する。
【００２７】
モータ２６を含む駆動システムは、光導電性ベルト１０が円滑で一定の表面速度を維持する様に設計される。この速度は、ベルト１０が画像形成ステーションＢを通過する時に、ＲＯＳ３６が１ミリメートル当たり”Ｓ”本の走査線を正確にペイント（表現）するように設定される。ＲＯＳは、”Ｒ”ライン／秒の正確な周波数を生成し、ベルト１０の速度”Ｖ”はソフトウェア設定可能１／Ｐ分周器（ディバイダ）により”Ｒ”と同じ基準周波数に周波数ロックされる。
【００２８】
この構造によって正確な画像バーパターンをベルト１０の光導電性表面１２上に、（Ｓ／２Ｋ）サイクル／ｍｍの空間的周波数、及びＶ×（Ｓ／２Ｋ）サイクル／秒の時間的周波数で書き込める。ベルト１０の光導電性表面１２上に書き込まれた正確なバーパターンを、現像ステーションＣで現像し、光学的に検出し、電気的に分析して、ベルト１０の速度（Ｖ）に直接的に対応する時間的周波数を測定する。
【００２９】
ベルト１０の光導電性表面１２上に正確に現像されたバーは、支持材４６に転写される。後で、支持材４６上のバーパターンの観察及び分析から、シートパスにおける支持材４６が観察された時点での支持材４６の速度の正確な測定値（Ｖｃｎ  ）が得られる。
【００３０】
ベルト１０の速度（Ｖ）と支持材４６の画像支持面側の速度（Ｖｃｎ  ）とは共に注意深く制御されなくてはならない。これらの相対速度は、参照番号７４で概略的に示されるコントローラで制御される。
【００３１】
フューザニップの速度はベルト１０の速度よりも早くなりえない；即ち、（フューザが支持材と係合する前にベルト１０とフューザニップとの間で十分に大きなペーパバックルが生成されていないかぎり）フューザニップの速度はベルト１０の速度よりも常に遅くならなくてはならない。ベルト１０とフュージングステーションＥの間の距離に依存して、同時係合中に小さいバックルの発生が許容可能である。
【００３２】
例えば、ベルト１０とフュージングステーションＥの間の距離が１２５ミリで、システムが４６０ミリの長さの支持材４６をハンドル（処理）しなければならない場合、３３５ミリの支持材がベルト上及びフュージングニップ中を同時に移動している。更に、ペーパの１．５０ミリの撓み（ｂｕｉｌｄ  ｕｐ）  が、３３５ミリの合同移動時間（ｊｏｉｎｔ  ｔｒａｖｅｌ  ｔｉｍｅ）  の間に許容され得る場合、以下の式：
｛１−（１．５／３５５）｝＜ＶＦＮ／ＶＰＲ＜１．０００
となり、それは、十分な安全性を備える制限された許容差を有する様に書き換えられ：
｛１−（１．５／３５５）｝＜ＶＦＮ／ＶＰＲ＜｛１−１．５／（２）（３５５）｝で、０．９９６＜ＶＦＮ／ＶＰＲ＜０．９９８となる。
ここで、ＶＦＮはフューザニップの速度であり、ＶＰＲは光導電性ベルトの速度である。
【００３３】
機械的な許容差及び時間に対する加熱影響のために、同一の駆動源がベルト１０の光導電性表面１２及びフューザロール６４を駆動することはできない。図１に示されるように、モータ２６がベルト１０を駆動すると共に、モータ６０がフューザロール６４を別個に駆動する。しかしながら、ベルト１０の速度は非常に厳密に制御されなくてはならず、同様にベルト１０とフューザロール６４との間の相対速度も厳密に制御されなくてならないので、１対の良好なデジタルサーボ駆動装置を使用して、それらの出力を相関させる。
【００３４】
ベルト１０は、一定速度ＶＰ／Ｒ  で駆動され、
ＶＰ／Ｒ  ＝ＶＩＯ｛１±０．００１｝となり、これはクリスタルクロック基準周波数ＦＩＯヘルツから得られ、このクリスタルクロック基準周波数ＦＩＯヘルツからソフトウェア設定可能分周器の設定値で除算されたクリスタルクロック基準周波数に等しいサーボ基準周波数ＦＩＯ／Ｐヘルツが得られる。相対速度要求を満たすために、矢印１６の方向にベルト１０を進める駆動ローラ２４の直径と、フューザ駆動ローラ６４の直径との間に存在する差異に起因してフューザサーボ基準周波数はほぼＦＩＯ／２Ｐになるべきである。モータ２６とモータ６０とからの電気信号は、コントローラ７４から供給され、このコントローラ７４は、上記説明された相対要求を全て制御する専用装置を含む。従って、コントローラ７４はフューザサーボ駆動モータ６０を制御し、このモータ６０によって駆動される支持材４６の速度がベルト１０の速度の所与の割合範囲内に制御される。”Ｆ”の大きな値は、より高い分解能の増分的な制御変化を回転フューザサーボ駆動モータ６０へ提供して、速度の望ましいつりあい（整合）を維持する。本発明のコントローラ７４の更なる詳細は、図２を参照して以下に記述される。
【００３５】
図２を参照するとコントローラ７４は、第１の固定周波数基準（クリスタルクロック）８０を有し、圧電センサ（図示せず）、好ましくはＡＴカットクゥオーツクリスタル基板が用いられて、ほぼ５．０±０．０１％ＭＨｚの周波数の共振振動デバイスが形成される。クリスタルクロック８０はコンダクタ（導体）９８によって、第１のプログラマブル分周器８２の入力と接続される。分周器８２のプログラミングは、プリンタ／コピー機用の主コントローラ内、又は専用マイクロプロセッサ（図示せず）内にあるソフトウェアルーチンによって提供され得る。従って、プログラマブル２進数Ｐは、データバス９４によって分周器８２の並列入力に入力される。分周器８２の出力は、コンダクタ１００によって周波数／位相コンパレータ８４の第１入力に入力される。従って、分周器８２の出力はまた、コンダクタ１１２を介して図１のモータ２６への光導電性ベルトサーボ基準周波数としても入力される。周波数／位相コンパレータ８４の出力は、コンダクタ１１４によって、電圧制御発振器（ＶＣＯ）８６の入力にフィードバックされる。
【００３６】
ＶＣＯ８６は、第２の可変周波数基準を形成する。ＶＣＯ８６の出力はコンダクタ１０２によって第２のプログラマブル分周器９０の入力に接続される。分周器９０のプログラミングはまた、プリンタ／コピー機用の主コントローラ内、又は専用マイクロプロセッサ（図示せず）内にあるソフトウェアルーチンによっても供給され得る。プログラマブル２進数Ｆは、データバス９６によって分周器９０の並列入力に入力される。分周器９０の出力は、コンダクタ１０６によって図１のモータ６０へのフューザ駆動サーボ基準周波数として入力される。従って、分周器９０の入力はまた、Ｎで除算する固定分周器８８への入力としてコンダクタ１０４によって入力される。固定分周器８８の出力は、コンダクタ１０８によって周波数／位相コンパレータ８４への第２の入力として入力される。
【００３７】
（図１に関して上述されたＲＯＳに速度制御を行う）クリスタルクロック８０は、分周器８２で”Ｐ”値１００５で除算されることが要求され、光導電性ベルト１０に５．００サイクル／ｍｍの空間的バーパターンを生成できる。空間的バーパターンは、１５１０Ｈｚである時間的周波数として移動する光導電性ベルト１０上に観察される。即ちこれは、秒速３０２．０００ｍｍの光導電性ベルト１０の速度を示す。
【００３８】
バス９６のデータによって２０００で除算されるように設定されたフューザサーボ除算器９０の場合、フューザを出る支持材上の転写バーパターンは１４９４．９Ｈｚの空間周波数を生成し、フューザニップ速度がＶＦＮ＝０．９９０ＶＰ／Ｒ  であることを示す。
【００３９】
これは所望の速度よりも遅く、フューザに入る大きすぎるペーパバックルを生成することがある。フューザニップの速度に所望される中間位置関係は、ＶＦＮ＝０．９９７ＶＰ／Ｒ  である。
【００４０】
フューザニップの速度を変えるために、”Ｆ”の値は、以下のような新しい値に再設定されなければならない：
Ｆ＝（０．９９０÷０．９９７）（２０００）＝１９８６
【００４１】
クリスタルクロック８０が４．９９９７５ＭＨｚの周波数で発振しており、データ９４の”Ｐ”の値が１００５である場合、周波数／位相コンパレータ８４の第１の入力、及び図１のモータ２６への光導電性ベルトサーボ基準周波数は４．９７４８８ＫＨｚとなるであろう。次にＶＣＯ８６は４．９７４８７６ＭＨｚの周波数を生成し、図１のモータ６０へのフューザ駆動サーボ基準周波数は２．５０４９７３ＫＨｚとなるだろう。
【００４２】
”Ｐ”及び”Ｆ”の値は、プリンタ／コピー機用の主コントローラ内、又は専用マイクロプロセッサ（図示せず）内に或るソフトウェアルーチンによって何時でも検査されて再設定されることができる。
【００４３】
【発明の効果】
本発明の電子写真印刷機は上記構成としたので、転写ステーション及びフューザステーションにおいてシート速度を整合させるシートハンドリングシステムを提供できるという優れた効果を有する。
【図面の簡単な説明】
【図１】中に本発明の特徴を組み込む静電写真印刷機を示す略正面図。
【図２】図１の印刷機で用いられたコントローラの概略ブロック図であり、転写ステーションとフュージングステーションでのシート速度を整合する。
【符号の説明】
１０    ベルト
１２    光導電性表面
６０    モータ
６２    フューザアセンブリ
６４    フューザローラ
６６    バックアップローラ
７４    コントローラ
【図１】
0003628366.tif 000002
【図２】
0003628366.tif 000003